(57)【要約】      （修正有）【課題】柔軟性を確保しつつ、ある一定の曲率半径以下になるような変形を抑制して、屈曲部に留置されたステントを提供する。【解決手段】複数のセル１とリンク２とを交互に二次元網目状に配置し筒状にしてステントを形成し、セル１は、屈曲する際に実質的に変形しないセル支柱からなり、リンク２は折線形または波線形のリンク支柱からなり、両端においてセル１と連結されている。干渉棒３はリンク２が伸縮する際の変形の方向の面内にあって干渉棒３の自由端までの形状においてリンク２に対し間隔をおいた状態に配設され、干渉棒３とリンク２との間隔はステントに柔軟性を与えるためにリンク２が伸縮変形するのに十分なものであり、干渉棒３はステントの屈曲によりリンクが伸縮変形を行い干渉棒に当接した段階でそれ以上の前記リンクの変形が抑制される曲げ剛性を有する。【選択図】  図４
2007312887.tif 000002
【特許請求の範囲】
【請求項１】
セルと該セルを連結するリンクとを交互に二次元的に網目状に配置したものを筒状に丸めて側辺が連結されてなるステントであって、前記セルは前記ステントが屈曲する際に実質的に変形しないセル支柱からなり、前記リンクは折線形または波線形のリンク支柱からなり両端において前記セルと連結されているとともに前記ステントが屈曲する際に前記リンクが前記ステントの軸方向に伸縮するものであり、前記リンクが前記セルに連結されている位置またはその近辺において干渉棒が片持ち梁状に突設されており、該干渉棒は前記リンクが伸縮する際の変形方向の面内にあって前記干渉棒の自由端までの形状において前記リンクに対し間隔をおいた状態に配設され、前記干渉棒とリンクとの間隔は前記ステントに柔軟性を与えるために前記リンクが伸縮の変形を行うのに十分なものであり、前記干渉棒は前記ステントの屈曲により前記リンクが伸縮変形を行い該干渉棒に当接した段階でそれ以上の前記リンクの変形が抑制される曲げ剛性を有するものであることを特徴とするステント。
【請求項２】
前記干渉棒には前記セルに連結された位置から自由端までの中間位置において記リンクの伸縮の際の変形の方向の面内にある分岐部が片持ち梁状に突設されており、前記ステントの屈曲により前記リンクが伸縮の変形を行い前記干渉棒及び分岐部と当接した段階でそれ以上の前記リンクの変形が抑制されるようにしたことを特徴とする請求項１に記載のステント。
【請求項３】
前記セル、リンク及び干渉棒が単一材料により一体的に形成されたものであることを特徴とする請求項１または２のいずれかに記載のステント。
【請求項４】
前記セルとリンクとが単一の材料で一体的に形成されたものであり、前記干渉棒が前記セル中に埋め込まれた部分と前記リンクが前記セル及びリンクを形成する材料より曲げ剛性が大きくなる他の材料で形成され前記セルに連結されている位置またはその近辺において突出した部分とからなるものであることを特徴とする請求項１または２のいずれかに記載のステント。
【請求項５】
前記セル及びリンクが合成樹脂で一体的に形成され、前記干渉棒が金属で形成されたものであることを特徴とする請求項４に記載のステント。
【請求項６】
前記ステントに人工血管を接着してなるステントグラフト。
【発明の詳細な説明】
【技術分野】
【０００１】
本発明は、ステント及びステントグラフトに関するものであり、特にセルとリンクとからなるステント及びそれを用いたステントグラフトに関するものである。
【背景技術】
【０００２】
ステントは血管等の管状臓器内に挿入し留置され、管腔サイズを維持するものであり、リンクステントの構造のものが多く用いられている。リンクステントは、管状臓器を拡張するセルと、セルを連結し伸縮の変形を行うリンクとからなる平面状構造のものを筒状に丸めて側辺を連結して形成したものであり、使用時にはこれを管状臓器内に挿入し留置する。
【０００３】
リンクステントについて次のような文献に開示されている。
【０００４】
特許文献１におけるステントは、水平方向のメアンダー模様と、垂直方向のメアンダー模様との形状で構成されており、各メアンダー模様からセルとＵ字形リンクが構成され、ステントが一方向に伸びた時に、Ｕ字形リンクの変形により、直交する方向に収縮し、直交するメアンダー模様の構造によりステントに柔軟性が与えられることになる。
【０００５】
特許文献２では、Ｓ字状のリンクを用いることによりステントに柔軟性を与えている。
【０００６】
リンクステントは、人工血管を装着したステントグラフトとして大動脈等の管状臓器内に挿入し留置される。ところで、図１（ａ）に示すようにステント及びステントグラフトを屈曲度の強い大動脈弓部にできた大動脈瘤の治療などに用いた場合に、血流が作用して、図１（ｂ）のように、ステント及びステントグラフトの位置ずれてしまい、大動脈瘤への血流を防止するというステント及びステントグラフトの目的が達せられなくなる。
【０００７】
このように、屈曲部に留置されたステント及びステントグラフトの位置がずれる原因として、図１（ａ）、（ｂ）に示すような血流の作用によって、ステントが過度に伸展することが挙げられる。本来ステントとしては留置される大動脈弓部の屈曲形状に順応できるように柔軟性が必要であり、そのため長軸方向に伸展・収縮する必要があるが、図１（ｂ）に示すような場合には、屈曲部に留置された状況において、ステントの柔軟性によりその屈曲部の曲率を超えるような変形が生じているものである。言い換えれば、ステントが機能するためには、ステントの過度の伸展を抑制すべきであることになる。
【特許文献１】特許３２３６６２３号公報
【特許文献２】米国特許６１７９８６８号明細書
【発明の開示】
【発明が解決しようとする課題】
【０００８】
このように、従来のリンクステントは必要な柔軟性を備えてはいるが、屈曲度の強い大動脈弓部等に留置して用いるような状況においては血流の作用で過度に伸展し位置がずれるためにステントとしての機能が損なわれるという事態が生じることにもなった。そのため、ステントとしての柔軟性は確保しつつ、ある一定の曲率半径以下になるような変形を抑制して、屈曲部に留置されたステントの機能を保持すること望まれていた。
【課題を解決するための手段】
【０００９】
本発明は、前述の課題を解決すべくなしたものであり、本発明によるステントは、セルと該セルを連結するリンクとを交互に二次元的に網目状に配置したものを筒状に丸めて側辺が連結されてなるステントであって、前記セルは前記ステントが屈曲する際に実質的に変形しないセル支柱からなり、前記リンクは折線形または波線形のリンク支柱からなり両端において前記セルと連結されているとともに前記ステントが屈曲する際に前記リンクが前記ステントの軸方向に伸縮するものであり、前記リンクが前記セルに連結されている位置またはその近辺において干渉棒が片持ち梁状に突設されており、該干渉棒は前記リンクが伸縮する際の変形方向の面内にあって前記干渉棒の自由端までの形状において前記リンクに対し間隔をおいた状態に配設され、前記干渉棒とリンクとの間隔は前記ステントに柔軟性を与えるために前記リンクが伸縮の変形を行うのに十分なものであり、前記干渉棒は前記ステントの屈曲により前記リンクが伸縮変形を行い該干渉棒に当接した段階でそれ以上の前記リンクの変形が抑制される曲げ剛性を有するものである。
【００１０】
前記干渉棒には前記セルに連結された位置から自由端までの中間位置において記リンクの伸縮の際の変形の方向の面内にある分岐部が片持ち梁状に突設されており、前記ステントの屈曲により前記リンクが伸縮の変形を行い前記干渉棒及び分岐部と当接した段階でそれ以上の前記リンクの変形が抑制されるようにしてもよい。
【００１１】
前記セル、リンク及び干渉棒が単一材料により一体的に形成されるようにしてもよい。
【００１２】
前記セルとリンクとが単一の材料で一体的に形成されたものであり、前記干渉棒が前記セル中に埋め込まれた部分と前記リンクが前記セル及びリンクを形成する材料より曲げ剛性が大きくなる他の材料で形成され前記セルに連結されている位置またはその近辺において突出した部分とからなるようにしてもよい。
【００１３】
前記セル及びリンクが合成樹脂で一体的に形成され、前記干渉棒が金属で形成されるようにしてもよい。
【００１４】
また、本発明によるステントグラフトは、前記ステントに人工血管を接着してなるものである。
【発明の効果】
【００１５】
本発明では、ステントのセルとリンクとの連結部またはその近辺において干渉棒を突設し、ステントの屈曲の際にリンクが伸縮した時に干渉棒に当接することによりそれ以上の変形が抑制される。それにより、本件発明においては、屈曲度の強い大動脈弓部等に留置して用いる状況においては血流の作用で過度に伸展し位置がずれるためにステントとしての機能が損なわれるようなことはなく、ステントとしての柔軟性は確保しつつ、ある一定の曲率半径以下になるような変形を抑制して、屈曲部に留置されたステントの機能を保持することができる。
【発明を実施するための最良の形態】
【００１６】
ステントがある一定の曲率半径以下の変形をしないようにすることを考える上で、まずステントの構造とステントが屈曲する際のステントの変形の状態に注目する。図２（ａ）は、筒状に丸めて側辺を連結したステントの構造を側方から見たものである。ステントは金属やワイヤー等で形成され、複数のセルを複数のリンクで交互に反復的に連結した二次元的形状のものを筒状に閉じた形に丸めて側辺を連結した構成であり、セルとリンクとは一体的な構造として形成される。リンクはＳ字形、Ｚ字形、Ｕ字形等、一般的に折線ないし波形の形状になっている。
【００１７】
この筒状のステントが屈曲した状態は図２（ｂ）のようになり、中立軸として長軸方向の長さが変化しない部分を境にして、外方にある部分ほど引っ張り力が作用して伸びた状態になり、内方にある部分ほど圧縮力により圧縮された状態になる。この変形をステントの構造要素の変形として見ると、セルは実質的に変形せず、セルを連結するＳ字形リンクが変形するようになっている。すなわち、ステントの軸方向への伸縮は実質的にそれぞれのＳ字形リンクの部分が変形することによる結果である。このように、屈曲可能なステントは、実質的に変形しない複数のセルと伸縮可能なリンクとが交互に連結されてなるものである。
【００１８】
ステントが伸縮する際のそれぞれのリンクの変形について考えるために、ステントの構造を要素的に見てみる。図３（ａ）はステントが伸縮ないし屈曲していない状態での２つのセルを連結するリンクの部分を示しており、２つのセル１，１が折線状のリンク２により連結されている。図３（ａ）で左側のセル１の右側部分をなすセル支柱１ａと１ｂとは角度をなして交差し節点Ｐ１で結合しており、右側のセル１の左側部分をなすセル支柱１ｃと１ｄとは角度をなして交差し節点Ｐ２で一体的に結合している。リンク２は左側からリンク支柱２ａ、２ｂ、２ｃが折線状に結合してＳ字形リンクをなし、左側のリンク支柱２ａの先端が節点Ｐ１において左側のセル１と一体的に結合し、右側のリンク支柱２ｃが節点Ｐ２において右側のセル１と一体的に結合している。リンク支柱２ａと２ｂとは節点Ｑ１で折れ曲がり、リンク支柱２ｂと２ｃとは節点Ｐ２で逆方向に折れ曲がって連結している。このようにセル１とリンク２とが結合した部分を縦横に反復して形成したものとして図２（ａ）のようなステントの構造を形成する。
【００１９】
図３（ａ）〜（ｃ）において、縦方向がステントの円周方向、横方向がステントの軸方向であるとする。前述したように、ステントが屈曲する際に、実質的には個々のセルは変形せず、個々のリンクの部分が変形する。図３（ａ）ではステントが屈曲しておらず、そのためリンク２は変形していない。ステントが屈曲した時に、屈曲部の外周側でステントの伸張した部分では状態では図３（ｂ）のようにそれぞれのリンク２はステントの円周方向の高さが減少しステントの軸方向の長さが増大するようにリンク２が変形し、屈曲部の内周側でステントの圧縮された部分では図３（ｃ）のようにステントの円周方向の高さが増大し軸方向の長さが減少するようにリンク２が変形することになる。
【００２０】
ステントが全体として一様に伸張したとすれば、それぞれのリンク２は図３（ｂ）のように変形し、全体として一様に圧縮したとすれば、それぞれのリンク２は図３（ｃ）のように変形するわけであるが、ステントが全体として伸縮するのでなく、屈曲する場合には、図２（ｂ）について説明したように、筒状のステントの中立軸より外方の部分のリンク２は図３（ｂ）のように変形し、中立軸より内側の部分のリンク２は図３（ｃ）のように変形する。
【００２１】
ステントが屈曲する際に実質的にセル１が変形せず、リンク２の部分が変形することを材料力学的に考えてみると、ステントの変形に関わるのがステントの軸方向の力によるものであり、ステントの軸方向に垂直な方向（円周方向）には変形させようとする力が作用しないことが基本になる。図３（ａ）で見た場合に、ステントの軸方向に作用する力は軸方向であり、節点Ｐ１とＰ２とを結ぶ線の方向である。この力に対して支柱２ａ、２ｂ、２ｃからなる折線状のＳ字形リンク２は曲がり梁の形になり、節点Ｑ１，Ｑ２での断面二次モーメントから考えてある程度の変形量となる。これに対して、セル支柱１ａ、１ｂ、１ｃ、１ｄに対してそれぞれ縦方向に作用する力となり、各セル支柱は曲がり梁とならないので、このような力による各セル支柱の縦方向の伸縮あるいは座屈は、作用する力に対する変形量として考えた場合、曲がり梁として考えられる変形量に比較すると格段に小さく、無視できる程度である。このため、実質的にリンク２のみが変形すると考えるべきなのである。
【００２２】
また、図３（ａ）のような折線状のリンク２の場合、リンク支柱２ａ，２ｂ，２ｃの部分は直線状であり、曲がり梁の性質として考えると、実際上は屈曲した部分Ｐ１，Ｑ１，Ｑ２，Ｐ２での変形量が大きく、直線状の部分はそれほど変形しない。折線状でなく波形状のリンク２においても、やはり屈曲部において大きく変形すると言える。このように、ステントの構造においてセル１は実質的に変形せず、リンク２の部分、特にリンク２の屈曲部分が大きく変形すると言えるが、実際のステントの設計においては、リンク２の部分の支柱の太さをセルの部分より小さくするというようにして、リンク２の部分がより変形し易くなるようにすることもなされる。
【００２３】
図３（ａ）の状態から、図３（ｂ）または（ｃ）の状態へとリンク２が変形可能であることによって、ステントの柔軟性が保たれているのであるが、ステントがある曲率半径以下にまでに変形しないようにするためには、この柔軟性を抑制する必要があり、上述のように、ステントの伸縮はそれぞれのリンク２の変形によるものであることを考えれば、リンク２が図３（ｂ）または（ｃ）のように変形するのを抑制すればよいと言える。
【００２４】
図４（ａ）は本発明によるステントの伸縮の抑制手段を備えたステントのそれぞれのリンクの部分を示したものであり、図４（ｂ）はステントが伸張した状態のリンクの部分を、また、図４（ｃ）はステントが圧縮された状態のリンク２の部分を示している。図４（ａ）におけるセル１とリンク２との構成は図３（ａ）と同じであり、同じ符号で示してある。
【００２５】
図４（ａ）に示すように、節点Ｐ１の位置において図で右向きにステントの軸方向に伸びる干渉棒３ａが取り付けられ、その先端より手前側の位置で分岐部３ｂが形成されている。干渉棒３ａ及び分岐部３ｂは曲げ剛性が大きく変形しにくくなるように一体的に形成されており、基端側は節点Ｐ１に連結され、片持ち梁状になっている。セル１及びリンク２は１つの面内にあり、リンク２はこの面内において曲げの変形を行う。干渉棒３ａ及び分岐部３ｂもこれと同じ面内にあるようにし、また、干渉棒３ａ及び分岐部３ｂの自由端はリンク２が変形していない状態でリンク２を構成するリンク支柱２ａ、２ｂからある程度の距離だけ離れた位置にあるようにする。さらに、節点Ｐ２から図で左向きに同様の分岐部３ｂを有する干渉棒３ａが取り付けられている。リンク２のＳ字の形状が点対称的であれば、両方の干渉棒も同等のものを逆向きに取り付ければよい。
【００２６】
図４（ｂ）は、図４（ａ）の状態から、ステントが伸張する部分においてリンク２が伸張した場合であり、リンク２の周方向の高さが減少しリンク支柱２ａとリンク支柱２ｂの左半分が下降し、ある程度下降したところで干渉棒の分岐部３ｂの先端に当接する。干渉棒３ａ及び分岐部３ｂは剛性の大きくなるように形成されているので、リンク支柱２ａあるいは２ｂ当接しても変形しにくくなっており、リンク支柱がさらに変形しようとすることに対して抵抗力を与える。この状況は、図４（ａ）におけるリンク２、干渉棒３及び分岐部３ｂを点対称的に配設してある場合、図の左右両側の干渉棒３がリンク２の変形の際にほぼ同時にリンク支柱に当接することになる。
【００２７】
図４（ｃ）は、図４（ａ）の状態から、ステントが圧縮された部分においてリンク２が圧縮された場合であり、リンク２の周方向の高さが増大するとともに軸方向の長さが減少して、節点Ｐ１とＰ２との間隔が短くなるようにリンクが変形する。そのため、ある程度リンクが圧縮された段階で干渉棒３ａの先端がリンク支柱２ｂの中点近くに当接し、それ以上リンクが変形することに対して抵抗力を与える。図４（ａ）におけるリンク２、干渉棒３及び分岐部３ｂを点対称的に配設してある場合、図の左右両側の干渉棒３ａがリンク２の変形の際にほぼ同時にリンク支柱２ａ、２ｂ、２ｃに当接することは、ステントが伸張する部分の場合と同様である。
【００２８】
このような干渉棒をステントにおけるそれぞれのセル１とリンク２との連結部またはその近辺に付設しておけば、ステントが屈曲した部分で干渉棒の作用によりある程度以上のリンク２の変形が抑制され、それによりステントのある程度以上の屈曲が抑制されるようになる。ただし、ステントの屈曲の際に、図２（ｂ）に関して説明したように、筒状のステントの外側が大きく伸張し、内側が大きく圧縮するのであるから、ステントのある程度の屈曲において、すべてのリンク支柱２ａ、２ｂ、２ｃが干渉棒に当接するのではなく、ステントの屈曲部分の外周側ないし内周側におけるリンク２の部分においてリンク支柱２ａ、２ｂ、２ｃが干渉棒３に当接する。
【００２９】
このように、ステントにおけるそれぞれのセルとリンク２との連結部またはその近辺に干渉棒３を付設しておくことにより、ステントがある曲率半径より大きく屈曲することに対し抵抗力が与えられる。ステントの屈曲部の外周側ないし内周側のリンク２が干渉棒３に当接するまでは、この抵抗力は作用しないので、ステントは本来の柔軟性を維持している。ステントの屈曲のどの段階で抵抗力を与えるかというのは、図４（ａ）に示す干渉棒３ａ及び分岐部３ｂの先端とリンク支柱３ａ、３ｂ、３ｃのそれぞれとの間隔によるのであり、ステントの設計において、この干渉棒３ａ及び分岐部３ｂの形状、寸法がリンク支柱２ａ、２ｂ、２ｃとの適切な間隔を与えるように設定しておく必要がある。
【００３０】
干渉棒３ａは節点Ｐ１，Ｐ２のようにセル１の頂点の位置に付設するのが基本になる。セル１はステントが屈曲しても実質的に変形しないものであるが、セル１が若干変形したとしても、節点Ｐ１，Ｐ２のような頂点においては位置関係において変化が少ないため、干渉棒３ａが変位することが最も避けられる位置になる。また、干渉棒３ａ及び分岐部３ｂはリンク２が変形し当接した時にリンクがそれ以上変形するのを抑制するために付設するのであり、そのために曲げに対する剛性を大きくすべきである。
【００３１】
干渉棒３ａ及び分岐部３ｂをステントのセル１及びリンク２と一体的に形成する場合に干渉棒３ａ及び３ｂの曲げ剛性を大きくするためには、その太さをある程度大きくする。これは図５に示すように、セル１の支柱をある程度の太さとし、リンク２の支柱は曲がり易くする意味でリンク２より細目の形状にする。干渉棒３はリンク２の支柱と同等以上の太さとし、特に節点Ｐ１の付け根部分において曲げ荷重が大きくなるので、この部分を太めにするのがよい。分岐部３ｂも同様であり、干渉棒３ａへの付け根の部分を太くするのがよい。このように干渉棒３ａ及び分岐部３ｂの曲げ剛性が大きくなるような太さ、形状とすることにより、ステントの屈曲によりリンク２が変形しても、ある程度以上の変形を効果的に抑制することができる。
【００３２】
干渉棒３ａ及び分岐部３ｂがリンク２のある程度以上の変形を抑制するために必要な条件は、それだけの剛性を有することと、リンク２がある程度変形した際に干渉棒３ａ及び分岐部３ｂの先端等が当接して変形を抑制するという形状配置的なことである。形状配置としては、リンク２との間隔が問題になる。リンク２の形状はＳ字形、Ｚ字形、Ｕ字形等種々なものがあり、それに応じて干渉棒３ａ及び分岐部３ｂの形状、配置形態も異なってくるが、基本としては、リンク２がある程度伸張ないし圧縮した時に干渉棒３ａ及び分岐部３ｂの先端ないし一部がリンク２に当接する形状、配置状態にすることである。干渉棒３ａを屈曲した形状にして分岐部がない形態とすることもあり、複数の分岐部３ｂを干渉棒の両側に突出させる形態も考えられる。図６（ａ）〜（ｄ）において、種々なリンク２の形状とその場合の干渉棒、分岐部の形態の例を示す。
【００３３】
前述したステントは金属等により干渉棒及び分岐部をセル１、リンク２と一体的に形成することができる。これは板状の金属等の材料にレーザー加工を行うか、あるいはフォトリソグラフィーの手法により必要な形状に形成し、筒状に丸めて側端を接合するというような製造方法が用いられる。
【００３４】
また、干渉棒３ａ及び分岐部３ｂを形成することに関連してステントを複合的な材料による構成とすることが考えられる。図７はそのような複合的な材料で形成された例を示すものである。図７（ａ）において、１０はセルであり、２０はリンクセルと一体的に形成されるリンクである。３０はセル内に埋め込まれた剛性の大きい材料からなる棒状体であり、棒状体３０はセル１０とリンク２０との連結部においてセルの内部から片持ち梁状に突出した干渉棒３１になっている。さらに、図示の場合、干渉棒３１は分岐部３２を有している。
【００３５】
図７（ａ）のステントの場合、セル内には全体的に棒状体３０が埋め込まれた構造になっているが、図７（ｂ）のように干渉棒３１の付け根近辺の部分だけに棒状体３０を埋め込む形としてもよい。棒状体３０をセル内に埋め込むのは、干渉棒３１が付け根近辺で曲がるのを抑制する意味があるが、特に図７（ａ）のようにセル内に全体的に剛性の大きい材料の棒状体を埋め込んでおけば、セルの材料がそれほど剛性の大きい材料でなくても、ステントの屈曲の際にセルが実質的に変形しなくなる。このことから、セル１０及びリンク２０を合成樹脂で形成し、セル１０内に図７（ａ）のように剛性の大きい金属の棒状体３０を埋め込み、これと一体的な干渉棒３１が突設するような構成とすることができる。
【００３６】
図７（ａ）、（ｂ）のような複合材料によるステントを形成する場合、セル１０とリンク２０とを板状の材料で同じ形状のものとして２枚形成し、棒状体３０と干渉棒３１の部分（分岐部３２を含む）とを他の材料で一体的に形成してからサンドイッチ状に重ねて、有着等により一体化する。リンク２０及びセル１０、棒状体３０及び干渉棒３１の形状については、レーザー加工、フォトリソグラフィーの手法等が用いられる。
【図面の簡単な説明】
【００３７】
【図１】（ａ）大動脈弓部内に挿入し留置した状態のステントを示す図である。（ｂ）（ａ）と同様であるが、ずれた状態になっているステントを示す図である。
【図２】（ａ）ステントの構造の一部を側方から見た図である。（ｂ）（ａ）と同様であるが、屈曲した状態のステントの一部を示す図である。
【図３】ステントが変形した時のセルとリンクの状態を示す図であり、（ａ）は変形前、（ｂ）は伸張した状態、（ｃ）は圧縮された状態を示している。
【図４】本発明による干渉棒を備えたステントにおいてステントが変形した時のセルとリンクの状態を示す図であり、（ａ）は変形前、（ｂ）は伸張した状態、（ｃ）は圧縮された状態を示している。
【図５】曲げ剛性を大きくするような形状とした干渉棒の例を示す図である。
【図６】（ａ）〜（ｄ）：種々のリンクの形状に応じた干渉棒の形態の例を示す図である。
【図７】（ａ）複合的な材料より形成した干渉棒を備えたステントの例を示す図である。（ｂ）（ａ）と同様であるが、他の形態を示す図である。
【符号の説明】
【００３８】
１  セル
２  リンク
１ａ、1ｂ、１ｃ、１ｄ  セル支柱
２ａ、２ｂ、２ｃ  リンク支柱
３ａ  干渉棒
３ｂ  分岐部
１０  セル
２０  リンク
３０  棒状体
３１  干渉棒
３２  分岐部
【図１】
2007312887.tif 000003
【図２】
2007312887.tif 000004
【図３】
2007312887.tif 000005
【図４】
2007312887.tif 000006
【図５】
2007312887.tif 000007
【図６】
2007312887.tif 000008
【図７】
2007312887.tif 000009